(57)【要約】【課題】  コアへの組付け性を向上することができるインシュレータを提供する。【解決手段】  インシュレータ１２は、径方向に延びる複数のティース部を有するコアの軸方向一側端面を覆う本体部２１と、コアの軸方向と平行に本体部２１から延出して各隣接するティース部間に形成されるスロットをそれぞれ覆う複数の延出部２２とを有する。延出部２２ａの本体部２１からの延出長Ｌ１は、残りの延出部２２ｂ〜２２ｄの延出長Ｌ２〜Ｌ４よりも長く設定されている。【選択図】      図１
2007006623.tif 000002
【特許請求の範囲】
【請求項１】
径方向に延びる複数のティース部を有するコアの軸方向一側端面を覆う本体部と、前記コアの軸方向と平行に前記本体部から延出して各隣接する前記ティース部間に形成されるスロットをそれぞれ覆う複数の延出部とを有する絶縁材からなるインシュレータにおいて、
前記複数の延出部の少なくとも１つの前記本体部からの延出長は、残りの延出部の該延出長よりも長く設定されていることを特徴とするインシュレータ。
【請求項２】
請求項１に記載のインシュレータにおいて、
前記残りの延出部よりも前記本体部からの延出長が長く設定されている前記延出部の個数は３であることを特徴とするインシュレータ。
【請求項３】
請求項１又は２に記載のインシュレータにおいて、
前記複数の延出部の個数は、３の倍数であることを特徴とするインシュレータ。
【請求項４】
請求項３に記載のインシュレータにおいて、
前記複数の延出部は、互いに同等の前記本体部からの延出長を有する３つの延出部からなる群に分けられていることを特徴とするインシュレータ。
【請求項５】
請求項１〜４のいずれか一項に記載のインシュレータにおいて、
前記複数の延出部の先端には、面取り部が形成されていることを特徴とするインシュレータ。
【発明の詳細な説明】
【技術分野】
【０００１】
本発明は、電動機等が備えるコアに装着される絶縁用のインシュレータに関するものである。
【背景技術】
【０００２】
従来、電動機等が備えるコアに装着されるインシュレータとして種々のものが提案されている（例えば特許文献１など）。こうしたインシュレータは、例えば絶縁性の樹脂材にて成形されており、径方向に延びる複数のティース部を有するコアの軸方向一側端面を覆う本体部と、コアの軸方向と平行に本体部から延出して各隣接するティース部間に形成される複数のスロットをそれぞれ覆う複数の延出部とを有している。このインシュレータは、コアにその軸方向両側から対で装着されて、主としてコアと巻線との絶縁を確保している。
【特許文献１】特開２００３−６１２８７号公報
【発明の開示】
【発明が解決しようとする課題】
【０００３】
ところで、電動機等が備えるコアは、複数のティース部（複数のスロット）を有して複雑な形状を呈している。従って、樹脂成形したインシュレータをコアに装着することが困難なことがある。これは、インシュレータをコアに装着する際に、形状にばらつきが生じ得る複数の延出部の全てを各スロットに同時に当接・位置合わせし、コアに組み付ける必要があるためである。
【０００４】
本発明の目的は、コアへの組付け性を向上することができるインシュレータを提供することにある。
【課題を解決するための手段】
【０００５】
上記問題点を解決するために、請求項１に記載の発明は、径方向に延びる複数のティース部を有するコアの軸方向一側端面を覆う本体部と、前記コアの軸方向と平行に前記本体部から延出して各隣接する前記ティース部間に形成されるスロットをそれぞれ覆う複数の延出部とを有する絶縁材からなるインシュレータにおいて、前記複数の延出部の少なくとも１つの前記本体部からの延出長は、残りの延出部の該延出長よりも長く設定されていることを要旨とする。
【０００６】
請求項２に記載の発明は、請求項１に記載のインシュレータにおいて、前記残りの延出部よりも前記本体部からの延出長が長く設定されている前記延出部の個数は３であることを要旨とする。
【０００７】
請求項３に記載の発明は、請求項１又は２に記載のインシュレータにおいて、前記複数の延出部の個数は、３の倍数であることを要旨とする。
請求項４に記載の発明は、請求項３に記載のインシュレータにおいて、前記複数の延出部は、互いに同等の前記本体部からの延出長を有する３つの延出部からなる群に分けられていることを要旨とする。
【０００８】
請求項５に記載の発明は、請求項１〜４のいずれか一項に記載のインシュレータにおいて、前記複数の延出部の先端には、面取り部が形成されていることを要旨とする。
（作用）
請求項１又は３に記載の発明によれば、このインシュレータをコアに装着する際、該インシュレータは、残りの延出部よりも前記本体部からの延出長が長く設定されている前記複数の延出部の少なくとも１つが最初に対応するスロット（コア）に当接・位置合わせされ、続いて残りの延出部が順次対応するスロットに当接・位置合わせされて、前記コアに組み付けられる。従って、前記複数の延出部の全てを同時に各対応するスロットに当接・位置合わせして、前記インシュレータを前記コアに組み付ける必要がないため、その組付け性が向上される。
【０００９】
請求項２に記載の発明によれば、前記インシュレータは、前記複数の延出部の３つが最初に対応するスロットに当接・位置合わせされて、前記コアに組み付けられる。この場合、いわゆる機械的な「静定条件」（：脚付きのいすは３本の脚があれば成立する、４本だと不静定）が満たされることになり、前記インシュレータは安定した状態で前記コアに組み付けられる。
【００１０】
請求項４に記載の発明によれば、前記インシュレータは、各群の３つの延出部が、前記延出長の長い順番で順次対応するスロットに当接・位置合わせされて、前記コアに組み付けられる。従って、前記インシュレータは、各群ごとに前述した「静定条件」が満たされて安定した状態で前記コアに組み付けられる。
【００１１】
請求項５に記載の発明によれば、前記複数の延出部は、先端の前記面取り部が形成されていない部分で最初に対応するスロットに当接・位置合わせされるため、前記インシュレータの前記コアへの組付け性が更に向上される。
【発明の効果】
【００１２】
請求項１乃至５に記載の発明では、インシュレータのコアへの組付け性を向上することができる。
【発明を実施するための最良の形態】
【００１３】
以下、本発明をブラシレスモータの固定子（ステータ）に具体化した一実施形態を図面に従って説明する。図２（ａ）（ｂ）は、それぞれ固定子１０を示す平面図及び側面図である。同図に示されるように、上記固定子１０は、コア１１及び同コア１１に装着された一対の絶縁材からなるインシュレータ１２を備えている。
【００１４】
前記コア１１は、例えば綱板を積層してなり、円筒状のコア本体１１ａと、同コア本体１１ａの内側面から径方向内側に放射状に延びる複数（１２個）のティース部１１ｂとを有している。これらティース部１１ｂは、コア本体１１ａを介して一体に連結され、周方向に等角度間隔に配設されている。そして、各隣接するティース部１１ｂ間にはスロット１１ｃが形成されている。このスロット１１ｃは、各隣接するティース部１１ｂ間に対応して複数（１２個）が形成されている。
【００１５】
図１（ａ）（ｂ）（ｃ）は、それぞれ前記インシュレータ１２を示す平面図、側面図及び部分斜視図である。前記各インシュレータ１２は、絶縁性の樹脂材（例えば芳香族ナイロンなど）にて成形されており、図１に併せ示されるように、本体部２１と、前記コア１１の軸方向と平行に前記本体部２１から延出する複数（１２個）の延出部２２とを有している。なお、図１（ｂ）では、便宜的に紙面に対し奥側に配置される延出部２２を図示省略している。
【００１６】
前記本体部２１は、前記コア本体１１ａの内径と同等の内径を有する円環部２１ａと、前記各ティース部１１ｂに対応して前記円環部２１ａの内側面から径方向内側に放射状に延びる複数（１２個）の突出部２１ｂとを一体的に有している。この本体部２１は、前記コア１１の軸方向一側端面を覆う。
【００１７】
前記延出部２２は、前記スロット１１ｃの壁面に沿って前記コア１１の軸方向と平行に延びる筒状に成形されており、径方向内側が軸方向全長に亘って開口している。前記複数の延出部２２は、各対応するスロット１１ｃをそれぞれ覆う。
【００１８】
図１（ｂ）に示されるように、前記複数の延出部２２は、前記本体部２１からの延出長が互いに異なる４種類の延出部２２ａ，２２ｂ，２２ｃ，２２ｄからなっている。すなわち、上記延出部２２ａ，２２ｂ，２２ｃ，２２ｄは、それぞれ延出長Ｌ１，Ｌ２，Ｌ３，Ｌ４（Ｌ１＞Ｌ２＞Ｌ３＞Ｌ４）を有している。これら複数の延出部２２は、同一種類となる互いに同等の前記本体部２１からの延出長を有する各３つずつの延出部（２２ａ〜２２ｄ）からなる群に分けられている。また、前記複数の延出部２２は、各種類の延出部（２２ａ〜２２ｄ）が周方向に等角度間隔に配設されるように、順番に配置されている（図１（ａ）参照）。つまり、上記複数の延出部２２は、その延出長を互いに同等にするのではなく、所定の寸法だけ変化させて段違いにするように成形されている。
【００１９】
さらに、図１（ｃ）に示されるように、各延出部２２の先端には、前記本体部２１からの延出長が外周側に比べて内周側が短くなるように面取り部２３が形成されている。
次に、上述したインシュレータ１２を前記コア１１に装着する際の組付け態様について図３に基づき説明する。なお、図３では、便宜的に一方のインシュレータ１２のみを図示している。他方のインシュレータ１２の組付け態様については同様であるため、その説明を割愛する。
【００２０】
図３（ａ）に示されるように、前記コア１１の軸線に沿ってインシュレータ１２をコア１１側に移動させるとき、まず、最長の延出長Ｌ１を有する３つの延出部２２ａが最初に対応するスロット１１ｃ（コア１１）に当接・位置合わせされる。そして、この状態で、更にインシュレータ１２をコア１１側に移動させると、図３（ｂ）に示されるように、前記延出部２２ａが対応するスロット１１ｃに挿入されつつ、次に長い延出長Ｌ２を有する３つの延出部２２ｂが対応するスロット１１ｃに当接・位置合わせされる。
【００２１】
続いて、この状態で、更にインシュレータ１２をコア１１側に移動させると、図３（ｃ）に示されるように、前記延出部２２ａ，２２ｂが各対応するスロット１１ｃに挿入されつつ、次に長い延出長Ｌ３を有する３つの延出部２２ｃが対応するスロット１１ｃに当接・位置合わせされる。そして、更にインシュレータ１２をコア１１側に移動させると、前記延出部２２ａ〜２２ｃが各対応するスロット１１ｃに挿入されつつ、最短の延出長Ｌ４を有する３つの延出部２２ｄが対応するスロット１１ｃに当接・位置合わせされ、更なるコア１１側への移動に伴って全ての延出部２２ａ〜２２ｄがスロット１１ｃに挿入されて、図３（ｄ）に示されるようにコア１１への組付けが完了する。
【００２２】
以上詳述したように、本実施形態によれば、以下に示す効果が得られるようになる。
（１）本実施形態では、上記インシュレータ１２をコア１１に装着する際、同インシュレータ１２は、前記複数の延出部２２（２２ａ〜２２ｄ）が前記本体部２１からの延出長の長い順番で、順次対応するスロット１１ｃに当接・位置合わせされて、前記コア１１に組み付けられる。従って、前記複数の延出部２２の全てを同時に各対応するスロット１１ｃに当接・位置合わせして、前記インシュレータ１２を前記コア１１に組み付ける必要がないため、その組付け性を向上することができる。
【００２３】
（２）本実施形態では、前記インシュレータ１２は、前記複数の延出部２２の３つ（延出部２２ａ）が最初に対応するスロット１１ｃに当接・位置合わせされて、前記コア１１に組み付けられる。この場合、いわゆる機械的な「静定条件」が満たされることになり、前記インシュレータ１２を安定した状態で前記コア１１に組み付けることができる。
【００２４】
（３）本実施形態では、本実施形態では、前記複数の延出部２２の個数は、３の倍数（「１２」）である。そして、複数の延出部２２は、互いに同等の前記本体部２１からの延出長を有する３つの延出部２２からなる群に分けられている。そして、前記インシュレータ１２は、各群の３つの延出部２２が、前記延出長の長い順番で順次対応するスロット１１ｃに当接・位置合わせされて、前記コア１１に組み付けられる。従って、前記インシュレータ１２は、各群ごとに前述した「静定条件」が満たされて安定した状態で前記コア１１に組み付けられる。
【００２５】
（４）本実施形態では、前記複数の延出部２２は、先端の前記面取り部２３が形成されていない部分（即ち外周側）で最初に対応するスロット１１ｃに当接・位置合わせされるため、前記インシュレータ１２の前記コア１１への組付け性を更に向上することができる。
【００２６】
なお、上記実施形態は以下のように変更してもよい。
・前記実施形態において、面取り部２３は、例えば前記スロット１１ｃに最初に当接・位置合わせされる延出部２２ａにのみ形成されるものであってもよい。
【００２７】
・前記実施形態において、前記延出部２２（スロット１１ｃ）の個数は、「１２」以外の３の倍数であってもよい。また、前記延出部２２（スロット１１ｃ）の個数は、３の倍数以外の適宜の数であってもよい。
【００２８】
・前記実施形態において、前記スロット１１ｃに最初に当接・位置合わせされる３つの延出部２２ａ以外の延出部は、例えば互いに同等の延出長を有していてもよいし、全てが互いに異なる延出長を有していてもよい。この場合、複数の延出部の残りを複数種類の群で分けてもよいし、分けなくてもよい。
【００２９】
・前記実施形態において、前記スロット１１ｃに最初に当接・位置合わせされる延出部の個数は、全数「（１２）」を除く１以上であればよい。この場合、複数の延出部を複数種類の群で分けてもよいし、分けなくてもよい。
【００３０】
・本発明は、ブラシ付モータの回転子に適用してもよい。この場合、回転子が備えるコアは、径方向外側に延びる複数のティース部を有するものの、インシュレータは、これら複数のティース部の各隣接するティース部間に形成されるスロット等を前記実施形態に準じて覆うものであればよい。
【図面の簡単な説明】
【００３１】
【図１】（ａ）（ｂ）（ｃ）は、本発明の一実施形態を示す平面図、側面図及び部分斜視図。
【図２】（ａ）（ｂ）は、本発明が適用される固定子を示す平面図及び側面図。
【図３】（ａ）（ｂ）（ｃ）（ｄ）は、同実施形態の組付け態様を示す側面図。
【符号の説明】
【００３２】
１１…コア、１１ｂ…ティース部、１１ｃ…スロット、１２…インシュレータ、２１…本体部、２２，２２ａ〜２２ｄ…延出部、２３…面取り部。
【図１】
2007006623.tif 000003
【図２】
2007006623.tif 000004
【図３】
2007006623.tif 000005